(57)【特許請求の範囲】
【請求項１】
移動機からのサービス要求に基づいて呼接続情報を記憶する呼接続用メモリと、ホームロケーションレジスタから転送されたローミング加入者の加入者データを記憶するローミング加入者用メモリとを備えた移動通信システムの呼制御装置において、
サービスを要求する加入者の加入者データを格納するための空き領域が前記ローミング加入者用メモリに無いと判定したとき、前記呼接続用メモリに該空き領域を獲得すべく該呼接続用メモリ領域を探索する探索手段と、
移動機の移動先位置情報を含む加入者データ読出要求を前記ホームロケーションレジスタに送信し、該要求に応じて該ホームロケーションレジスタから転送される加入者データを、前記探索手段の探索に基づいて獲得された空き領域に格納し、該加入者データに基づいて要求されたサービスを実行した後、獲得した領域を開放する実行手段を設けることを特徴とする呼制御装置。
【請求項２】
前記のサービス要求は位置登録、発信又は着信要求であることを特徴とする請求項１に記載の呼制御装置。
【請求項３】
前記のホームロケーションレジスタの加入者用メモリとローミング加入者用メモリとは一つの装置として一体に構成されることを特徴とする請求項１に記載の呼制御装置。
【請求項４】
前記の実行手段は、呼接続用メモリに格納された加入者データが次に参照された際に、または周期的な監視によって検出された際に、該加入者データを前記ローミング加入者用メモリに獲得した領域に転送し、該呼接続用メモリの当該領域を解放することを特徴とする請求項１に記載の呼制御装置。
【請求項５】
前記のホームロケーションレジスタの加入者用メモリ及びローミング加入者用メモリは加入者データを格納するために使用し得る各領域に対応して、その領域が空きか否かを示す情報を記憶するテーブルを設け、該テーブルに基づいて加入者データを格納する領域の有無を判定することを特徴とする請求項１に記載の呼制御装置。
【請求項６】
呼接続用メモリに移動機からのサービス要求に基づいて呼接続情報を記憶し、ローミング加入者用メモリにホームロケーションレジスタから転送されたローミング加入者の加入者データを記憶する移動通信システムの呼制御方法において、
(a) サービスを要求する加入者の加入者データを格納するための空き領域が前記ローミング加入者用メモリに無いと判定したとき、前記呼接続用メモリに該空き領域を獲得すべく該呼接続用メモリ領域を探索する工程と、
(b) 移動機の移動先位置情報を含む加入者データ読出要求を前記ホームロケーションレジスタに送信し、該要求に応じて該ホームロケーションレジスタから転送される加入者データを、前記の工程(a) の探索に基づいて獲得された空き領域に格納し、該加入者データに基づき要求されたサービスを実行した後、獲得した領域を開放する工程を設けることを特徴とする呼制御方法。
【発明の詳細な説明】
【０００１】
【発明の属する技術分野】
本発明は、移動交換システムの呼制御装置に関する。移動交換システムにおいて、携帯電話からの各種サービス（位置登録／発信／着信など）要求に対して、加入者データ（携帯電話の在圏基地局位置、加入者識別情報など加入者にサービスを提供するに必要な情報）を記憶するビジターロケーションレジスタのメモリが不足するような場合にも、これら要求に応え、最大限にサービスを提供することができる呼制御装置及び方法が望まれている。
【０００２】
【従来の技術】
図１４は移動交換システムの主要装置を示すブロック図である。図において、交換機は基地局（図示省略）を経由して、自動車電話、携帯電話など位置を移動する電話機である図示省略する移動機（ＭＳ：  Ｍｏｂｉｌｅ  Ｓｔａｔｉｏｎ）と接続される。交換機は自動車電話交換局（Ｍｏｂｉｌｅ  Ｓｗｉｔｃｈｉｎｇ  Ｃｅｎｔｅｒ  、以下ＭＳＣという）１Ａとビジターロケーションレジスタ（Ｖｉｓｉｔｏｒ  Ｌｏｃａｔｉｏｎ  Ｒｅｇｉｓｔｅｒ  、以下ＶＬＲという）２Ａから構成され、移動機からの位置登録信号に基づいてその位置登録を行い、発呼移動機からの発信要求信号に基づいて着呼移動機に対して着信要求信号を発信することによって移動機間の交換接続を行う。
【０００３】
ＭＳＣ１Ａは呼制御部１１ａ  とＭＳＣメモリ１２ａ  から構成される。ＭＳＣメモリ１２ａ  は所定数の加入者に対して基地局情報、接続パス情報、課金・監査情報、ルーチング情報等の呼接続に必要な情報を記憶する呼接続情報エリアを有する。呼制御部１１ａ  はＭＳＣメモリ１２ａ  に格納された情報に基づいて呼接続を制御する。
【０００４】
ＶＬＲ2A は呼制御部21a とＶＬＲメモリ22a から構成される。ＶＬＲメモリ22a は所定数の加入者に対して移動機在圏基地局位置、加入者識別子（電話番号、電話機番号等）、認証情報、加入者規制情報、付加サービス情報、加入事業者識別情報等のローミング加入者に関する情報を記憶する加入者データエリアを有する。呼制御部21a はローミング加入者の加入者データをＶＬＲメモリ22a において管理する。
【０００５】
ホームロケーションレジスタ（Ｈｏｍｅ  Ｌｏｃａｔｉｏｎ  Ｒｅｇｉｓｔｅｒ、以下ＨＬＲという）３Ａは呼制御部３１ａ  とＨＬＲメモリ３２ａ  から構成される。ＨＬＲメモリ３２ａ  は移動機在圏基地局位置、加入者識別子（電話番号、電話機番号等）、認証情報、加入者規制情報、付加サービス情報等のホーム加入者に関する情報を記憶し、呼制御部３１ａ  はホーム加入者の加入者データをＨＬＲメモリ３２ａ  において管理する。
【０００６】
ＶＬＲ２ＡはＭＳＣ１Ａからの移動機の位置登録要求時に、ＶＬＲメモリ２２ａ  に加入者データ格納用の加入者データエリアを獲得し、そのエリアへＨＬＲ３Ａから加入者データを検索して格納する。移動機が当該網に在圏している間、加入者データをそのエリアに保持し、移動機から／への発信／着信要求時に加入者データエリアから加入者データを読み出して呼接続を行う。
【０００７】
図１５は従来例の位置登録操作を示すフローチャートであって、ＶＬＲ２Ａによる位置登録操作を示す。
（１）  移動機から位置登録要求を受信するとＭＳＣ１ＡはＶＬＲ２Ａに対して位置登録要求を行う。
【０００８】
（２）  ＶＬＲ２ＡはＶＬＲメモリ２２ａ  に加入者データエリアの獲得を試みる。
（３）  獲得に成功したとき、ＨＬＲ３Ａに当該移動機の加入者データを要求し、
（４）  応答された加入者データを前記獲得した加入者データエリアに格納し、ＭＳＣ１Ａに対して位置登録完了を通知する（以下、（３）  及び（４）  の操作を位置登録の通常処理という）。
【０００９】
（５）  前記ステップ（２）  で獲得に失敗したときＭＳＣ１Ａに対して呼切断要求する。
【００１０】
【発明が解決しようとする課題】
前述のように従来例によれば、ＶＬＲ２ＡはＶＬＲメモリ２２ａ  に加入者データエリア格納の余地がなくなった場合、ローミング加入者に対して全てのサービス（位置登録、発信、着信等）要求を拒否しなければならないという問題があった。また、この問題を回避するためにＶＬＲメモリ２２ａ  の記憶容量を増加することはＶＬＲ２Ａの価格を増加し、システムが高価になるという問題があった。
【００１１】
本発明は、ビジターロケーションレジスタのメモリの記憶容量を最小限にして、移動機に対して最大限のサービスを提供することができる移動通信システムの呼制御装置及び方法を提供することを目的とする。
【００１２】
【課題を解決するための手段】
加入者データを定常的に登録・記憶する加入者用メモリと、呼接続に必要な情報を記憶する呼接続用メモリを有して移動機からのサービス要求に基づいて呼接続を行う自動車電話交換局と、加入者用メモリから転送されたローミング加入者の加入者データを記憶するローミング加入者用メモリとを備えた移動通信システムの呼制御装置において、探索手段と実行手段とを設ける。探索手段はサービスを要求する加入者の加入者データを格納する空き領域がローミング加入者用メモリに無いと判定したとき、交換局のメモリにその領域を獲得すべく探索し、実行手段は探索手段の探索に基づいて加入者用メモリから加入者データを転送して獲得された領域に格納し、その加入者データに基づいて要求されたサービスを実行する。また、実行手段は前記サービスを実行した後に、交換局のメモリに獲得した領域を解放する。
【００１３】
【発明の実施の形態】
以下、本発明の呼接続装置について、構成要旨に基づいた実施形態により図を参照しながら具体的詳細に説明する。なお、全図を通じて同様部分には同一符号を付して示してある。
【００１４】
図２は本発明の実施例を示すブロック図である。本発明の自動車電話交換局（Ｍｏｂｉｌｅ  Ｓｗｉｔｃｈｉｎｇ  Ｃｅｎｔｅｒ  、以下ＭＳＣという）１Ｂ及びホームロケーションレジスタ（Ｈｏｍｅ  Ｌｏｃａｔｉｏｎ  Ｒｅｇｉｓｔｅｒ、以下ＨＬＲという）３Ｂは従来例のＭＳＣ１Ａ及びＨＬＲ３Ａと同様の構成、機能を有する。本発明のビジターロケーションレジスタ（Ｖｉｓｉｔｏｒ  Ｌｏｃａｔｉｏｎ  Ｒｅｇｉｓｔｅｒ  、以下ＶＬＲという）２Ｂは従来例のＶＬＲ２Ａの構成、機能に加えて、後述するＭＳＣメモリ１２ｂ  にアクセスする機能又は／及び順位テーブル２３ｂ  を備えた構成を有する。
【００１５】
図３は本発明の位置登録操作を示すフローチャートである。ＶＬＲ２Ｂによる位置登録動作を図３に基づき、図４及び図５を参照しながら説明する。図４は本発明の第１のメモリ使用方法を示す図であって、ＶＬＲメモリ２２ｂ  に加入者データ格納用に空きエリアが有る通常の場合の例を示す。図５は本発明の第２のメモリ使用方法を示す図であって、ＶＬＲメモリ２２ｂ  に加入者データ格納用に空きエリアが無い場合の例を示す。
【００１６】
（１）  移動機ａ又はｃ（図４又は図５に対応して）から位置登録要求を受信したとき、ＭＳＣ１ＢはＭＳＣメモリ１２ｂ  に呼接続情報エリアを獲得して移動機の呼接続情報を格納すると共に、ＶＬＲ２Ｂ（呼制御部２１ｂ）に対して位置登録要求を行う（図４及び図５の（１）  参照）。
【００１７】
（２）  ＶＬＲ２Ｂは位置登録要求を認識すると、加入者データエリア用空塞テーブル２４ｂ  をサーチすることによってＶＬＲメモリ２２ｂ  に加入者データエリアの空きの有無をチェックする（図４及び図５の（２）  参照）。空塞テーブル２４ｂ  は、１加入者用の加入者データエリアに１対１に対応するビット（例えば、値０／１）によって、加入者データエリアの空／塞を示す。
【００１８】
（３）  「空き」を検出すると対応する加入者データエリアを獲得し（図４（３）  参照）、図１５のステップ（３）  及び（４）  で示した通常の位置登録処理を行って位置登録完了をＭＳＣ１Ｂに通知する。
【００１９】
（４）  前記ステップ（２）  のサーチの結果、データエリアの獲得に失敗したとき、ＶＬＲ２Ｂは次にＭＳＣメモリ１２ｂ  の呼接続情報エリアに加入者データを一時的に格納するためのエリアの獲得を試みる（図５（４）  参照）。即ち、呼接続情報エリア空塞テーブル１４ｂ  をサーチすることによって呼接続情報エリアの空きの有無をチェックする。空塞テーブル１４ｂ  は、前記加入者データエリア空塞テーブル２４ｂ  と同様に、ＭＳＣメモリ１２ｂ  の１加入者用に呼接続情報を収容するエリア（呼接続情報エリア）に１対１に対応するビットによって、ＭＳＣメモリ１２ｂ  に呼接続情報エリアの空きの有無を示す。ここでは、理解を容易にするためにＶＬＲメモリ２２ｂ  の１つの加入者データエリアとＭＳＣメモリ１２ｂ  の１つの呼接続情報エリアは同じ構造、即ち、同じバイト数とアクセス方法を有するものとする。
【００２０】
（５）  前記ステップ（４）  のサーチによって呼接続情報エリアの獲得に失敗したとき、位置登録未完了としてＭＳＣ１Ｂに対して呼切断を指示する。
（６）  前記ステップ（４）  のサーチによって前記空塞テーブルに空き（例えば、当該ビットの値０）が検出されたとき、そのビットに対応する呼接続情報エリア（そのアドレスはテーブル中の当該ビット位置で決まる）を獲得する（図５（６）  参照）と共に、当該ビットを１にセットして対応する呼接続情報エリアが使用中であることを示す。
【００２１】
（７）  ＶＬＲ２Ｂは移動機のＨＬＲ３Ｂに対して、移動機の移動先位置情報を含む加入者データ読出要求メッセージを出力して、移動機の加入者データを要求する。従って、ＨＬＲ３Ｂは配下の移動機の移動先位置を掌握し、管理することができる。
【００２２】
（８）  ＨＬＲ３Ｂは加入者データ読出応答メッセージによって移動機の加入者データを応答する。ＶＬＲ２Ｂは応答された加入者データを前記獲得した呼接続情報エリアに一時的に格納する。
【００２３】
（９）  ＶＬＲ２Ｂはこの加入者データに基づいて移動機の位置登録処理を行い、ＭＳＣ１Ｂに対して位置登録完了を通知する。
（１０）位置登録処理完了後、獲得した呼接続情報エリアを解放する（加入者データを放棄する）。即ち、呼接続情報エリア空塞テーブル１４ｂ  の当該呼接続情報エリアに対応するビットを０にリセットして同エリアが空きであることを示す。
【００２４】
このように、本発明の位置登録方法によれば、ＶＬＲメモリ２２ｂ  に空きが無い場合でも、ＭＳＣメモリ１２ｂ  を一時的に使用して位置登録を実行するので、ＨＬＲ３Ｂ（移動通信網１）は配下の移動機のローミング先位置（網２）を掌握・管理することができる。従って、第３の網から着信要求があった場合でも、網１は容易にその移動機のローミング先の網２に回線接続を行うことができる。
【００２５】
図６は本発明の発信操作を示すフローチャートであって、ＶＬＲ２Ｂによる発信動作を示す。
（１）  移動機ａから発信（又は、着信）要求を受信したとき、ＭＳＣ１ＢはＭＳＣメモリ１２ｂ  に呼接続情報エリアを獲得して移動機の呼接続情報を格納すると共に、ＶＬＲ２Ｂに対して発信（又は、着信）要求を行う。
【００２６】
（２）  ＶＬＲ２Ｂは発信要求を認識すると、移動機が位置登録済か否かチェックする。
（３）  位置登録済のとき、ＶＬＲ２Ｂは通常の発信処理を行って、ＭＳＣ１Ｂに対して発信処理完了を通知する。ＭＳＣ１Ｂは発信処理完了に基づいて着呼移動機と呼接続を行う。
【００２７】
（４）  位置未登録のとき、加入者データエリア用空塞テーブル２４ｂ  をサーチすることによって空きエリアの有無をチェックする。
（５）  空きエリア「有」のときは、そのエリアを用いて位置登録処理（図３ステップ（３）  参照）を行い、前記ステップ（３）  の発信処理を行う。
【００２８】
（６）  前記ステップ（４）  のサーチの結果、エリアの獲得に失敗したとき、ＶＬＲ２ＢはＭＳＣ１Ｂの呼接続情報エリア用空塞テーブル１４ｂ  をサーチすることによって呼接続情報エリアの空きの有無をチェックする。
【００２９】
（７）  空きエリア「無」のとき、ＶＬＲ２ＢはＭＳＣ１Ｂに対して呼切断を指示する。
（８）  空きエリア「有」のとき、ＶＬＲ２Ｂはテーブル１４ｂ  の当該ビット位置に対応するエリアを獲得すると共に、ビットの値を１にセットして当該エリアが使用中であることを示す。
【００３０】
（９）  ＶＬＲ２Ｂは移動機のＨＬＲ３Ｂに対して、その移動先位置情報を含む加入者データ読出要求メッセージを出力して、移動機の加入者データを要求する。従って、ＨＬＲ３Ｂは配下の移動機の移動先位置を掌握し、管理することができる。
【００３１】
（１０）ＨＬＲ３Ｂは加入者データ読出応答メッセージによって移動機の加入者データを応答する。ＶＬＲ２Ｂは応答された加入者データを前記獲得した呼接続情報エリアに一時的に格納する。
【００３２】
（１１）ＶＬＲ２Ｂはその加入者データに基づいて公知の発信処理を実行し、それに基づいてＭＳＣ１Ｂは着呼装置との間に呼接続を確立し、通話が開始される。
（１２）通話が終了してＭＳＣ１Ｂから切断要求信号が入力されたとき、前記獲得した呼接続情報エリアを解放する（加入者データを放棄する）。即ち、空塞テーブル１４ｂ  の当該呼接続情報エリアに対応するビットを０にリセットして同エリアが空きであることを示す。
【００３３】
このように、本発明の位置登録方法によれば、ＭＳＣメモリ１２ｂ  を一時的に使用することによってＶＬＲメモリ２２ｂ  に空きが無い場合でも発信操作を実行することができる。また、本発明の位置登録方法と同様に、ＨＬＲ３Ｂは配下の移動機のローミング先位置を掌握・管理することができるので、第３の網から着信要求があった場合でも容易にその移動機のローミング先の網に回線接続を行うことができる。
【００３４】
図７は本発明の第３のメモリ使用方法を示す図であって、図３及び図６において加入者データを格納した呼接続情報エリアを解放することなく、即ち、その加入者データを放棄することなく、保持する例を示す。本方法を図７に基づき、図３を参照して説明する。
【００３５】
図３の操作においては、ステップ（８）  で加入者データを呼接続情報エリアへ格納し、ステップ（９）  で位置登録処理した後に、ステップ（１０）で呼接続情報エリアを解放した。本方法では、格納した加入者データを放棄せずに、そのまま呼接続情報エリアに保持することによって、後の発信処理、着信処理等に利用できるようにする。即ち、呼接続情報エリア上の加入者データｃが見かけ上はＶＬＲメモリ２２ｂ  上にあるように、加入者データｃがＶＬＲメモリ２２ｂ  上の加入者データｂからチェインされ、ＶＬＲメモリ２２ｂ  上の加入者データｄへチェインするように構成する。
【００３６】
図８は本発明の第４のメモリ使用方法を示す図であって、前記第４のメモリ使用方法において呼接続情報エリアへ保持した加入者データを後でＶＬＲメモリ２２ｂ  へ移動する例を示す。本方法を図８に基づいて説明する。
【００３７】
前記図７の操作で加入者データを呼接続情報エリアに保持した状態において、ＶＬＲ２ＢはＭＳＣ１Ｂからの次のアクセス時に、または周期的にモニターすることによって、在圏加入者の加入者データが呼接続情報エリアに保持されていることを認識すると、加入者データエリア用空塞テーブル２４ｂ  をサーチして空きエリアを獲得する。ＶＬＲ２Ｂは呼接続情報エリアに保持されている加入者データを獲得した加入者データエリアへ写し、その後でその呼接続情報エリアを解放する。
【００３８】
図９は本発明の第５のメモリ使用方法を示すフローチャートであって、例えば、位置登録要求に対してＶＬＲメモリ２２ｂ  に、新規の加入者データを格納するための加入者データエリアに空きが無い場合に、新規の加入者データで既存の加入者データを置換する（追放する）例を示す。
【００３９】
（１）  移動機から、例えば、位置登録要求を受信したとき、ＭＳＣ１ＢはＶＬＲ２Ｂに対して位置登録要求を行う。
（２）  ＶＬＲ２Ｂは位置登録要求を認識すると、加入者データエリア用空塞テーブル２４ｂ（図４及び図５の（２）  参照）をサーチすることによってＶＬＲメモリ２２ｂ  に加入者データエリアの空きの有無をチェックする。空塞テーブル２４ｂ  は１加入者用の加入者データエリアに１対１に対応するビット（例えば、値０／１）によって、加入者データエリアの空／塞を示す。
【００４０】
（３）  「空き」を検出すると対応する加入者データエリアを獲得し、前記の通常の位置登録処理を行って位置登録完了をＭＳＣ１Ｂに通知する。
（４）  前記ステップ（２）  のサーチの結果、データエリアの獲得に失敗したとき、ＶＬＲ２Ｂは順位テーブル２３ｂ（図１０参照）に基づいて、最低優先順位の加入者データが登録されたエリアを獲得する（図１１及び図１２参照）。
【００４１】
（５）  ＶＬＲ２Ｂは移動機のＨＬＲ３Ｂに対して、加入者データ読出要求メッセージを出力して、移動機の加入者データを要求する。
（６）  ＨＬＲ３Ｂは加入者データ読出応答メッセージによって移動機の加入者データを応答する。ＶＬＲ２Ｂは応答された加入者データを前記ステップ（４）  で獲得した加入者データエリアヘ上書きして登録する。即ち、最低優先順位の加入者データをＨＬＲ３Ｂから応答された加入者データで置換する。
【００４２】
（７）  ＶＬＲ２Ｂはこの加入者データに基づいて通常の位置登録処理を実行し、ＭＳＣ１Ｂに対して位置登録完了を通知する。
（８）  この位置登録した加入者データの優先順位を求め（順位をアクセス日による場合には、最優先順位として）、順位テーブル２３ｂ  に登録する。
【００４３】
図１０は本発明の順位テーブルの構成図であって、加入者番号、加入者データがＶＬＲメモリ２２ｂ  に登録された日付、所定期間内に加入者データが参照（アクセス）された回数、最近のアクセス日付等の優先順位を決める要素が指定される。これらから選択した一つの要素、または複数の要素を、必要により重みを与えて、組み合わせることによって決まる値（優先度を示す値という）に基づいて加入者データの優先順位を決定する。
【００４４】
図１１は本発明の第５のメモリ使用方法の説明図である。
図１１（ａ）  には簡略化してＶＬＲメモリ２２ｂ  が３つの加入者データエリアを有する例が示されている。ＶＬＲメモリ２２ｂ  の各加入者データエリアには加入者ａ，ｂ，ｃの加入者データＡ，Ｂ，Ｃが登録されている。順位テーブル２３ｂ  の優先情報には加入者番号ａ，ｂ，ｃが示され、優先度を示す値に従って優先順位は上位から下位に配列して示されている。また、順位テーブル２３ｂ  の各優先情報と各加入者データエリアとの対応は理解を容易にするために矢印で示されている。
【００４５】
この状態において、加入者ｄから新たに位置登録要求が発生したとき、図１１（ｂ）  は加入者データ置換の結果を示す。即ち、優先順位が最下位であった加入者ａのデータＡの上に加入者ｄの加入者データＤが上書きされ（即ち、加入者データＡは追放され）、順位テーブル２３ｂ  には加入者ｄが最優先と表示される。
【００４６】
図１２は順位テーブルの遷移を示す図であって、最近のアクセス日付に基づいて加入者データの優先順位を決めた例である。図１２（ａ）  において、加入者ａ〜ｅについて加入者データが最近アクセスされた月／日に従って優先情報が順位テーブル２３ｂ  に配置されており、最も最近（１月／５日）にアクセスされた加入者ｅの加入者データが最も優先順位が高く、１月／１日にアクセスされた加入者ａのデータが最も優先順位が低く設定されている。
【００４７】
図１２（ｂ）  は、この状態において、加入者データ（図示省略）が既に登録済みの加入者ｃについて１月／６日にアクセスがあったときの順位テーブル２３ｂ  の状態を示している。即ち、加入者ｃより順位が上位であった加入者ｄ及びｅの順位が一位ずつ下がり、代わって加入者ｃが最優先順位となっている。
【００４８】
図１２（ｃ）  は、さらに加入者ｆについて１月／７日に新規のアクセスがあったときの状態を示している。このとき、加入者ｆが最優先順位となって加入者ｂ〜ｅの順位が一位ずつ下がり、加入者ａがテーブル２３ｂ  から追放され、加入者ｄが最優先順位と表示される。図示省略する加入者データエリアについては、加入者ａのデータが追放され、そのエリアに加入者ｆの加入者データが登録される。即ち、優先順位が最下位であった加入者ａの加入者データの上に加入者ｄの加入者データが上書きされる。
【００４９】
図１３は本発明の順位テーブルの登録操作を示すフローチャートであって、図１２の場合と同様に優先順位をアクセス日付によって決定する例についてＶＬＲ２Ｂの動作を説明する。
【００５０】
（１）  ＭＳＣ１ＢがＶＬＲ２Ｂに対して、例えば、位置登録要求を行うとき、ＶＬＲ２ＢはＶＬＲメモリ２２ｂ  に加入者データを登録する際に、先ず、順位テーブル２３ｂ  の先頭アドレスをアドレス指定する。
【００５１】
（２）  そこから、当該加入者が登録されているか順位テーブル２３ｂ  をサーチする。
（３）  登録済の場合は加入者の優先情報のテーブル２３ｂ  上の位置ｋを記憶する。
【００５２】
（４）  テーブル２３ｂ  の位置ｋから優先順位上位方向に向かって、最優先の優先情報をサーチする。
（５）  サーチによって最優先の情報（テーブル２３ｂ  上の位置ｈとする）を検出したとき、位置（ｋ＋１）からｈまでの優先情報を下位へ１位ずつシフトする。
【００５３】
（６）  シフトの結果、空いたエリア（最上位位置）へ当該加入者の新規（或いは更新された）優先情報を登録する。
（７）  前記（２）  のサーチの結果、未登録の場合は順位テーブル２３ｂ  への総登録加入者数を求めることによってテーブル２３ｂ  に空きの有無を判定する。
【００５４】
（８）  空き有りのとき、加入者の新規優先情報をテーブル２３ｂ  の最上位位置へ登録する。
（９）  空き無しのとき、優先情報をすべて１位ずつ下位へシフトすることによって最下位の情報を追放する。
【００５５】
（１０）加入者の新規優先情報を最上位位置へ登録する。
【００５６】
【発明の効果】
以上説明したように本発明によれば、移動機からのサービス要求に対して、ＶＬＲのメモリが不足する場合にはＭＳＣのメモリを一時的に借用して処理を行うので、通信が輻輳し、又は装備したメモリの容量が少ないためＶＬＲメモリが不足するような場合でも、これら要求を拒否することなく、最適なサービスを提供することができるという効果がある。また、借用したＭＳＣメモリのエリアを解放した場合でも本処理によってＨＬＲに移動機の移動先位置（ローミング先）を知らせるので、後の着信要求に対して迅速、かつ、的確に対応することができるという効果がある。さらに、本発明によれば、前記のようにＶＬＲのメモリが不足する場合には優先度の低いデータを追放することによって新しいサービス要求に応えるので、前記と同様な効果を奏する。
【図面の簡単な説明】
【図１】本発明の原理を説明するフローチャート
【図２】本発明の実施例を示すブロック図
【図３】本発明の位置登録操作を示すフローチャート
【図４】本発明の第１のメモリ使用方法を示す図
【図５】本発明の第２のメモリ使用方法を示す図
【図６】本発明の発信操作を示すフローチャート
【図７】本発明の第３のメモリ使用方法を示す図
【図８】本発明の第４のメモリ使用方法を示す図
【図９】本発明の第５のメモリ使用方法を示すフローチャート
【図１０】本発明の順位テーブルの構成図
【図１１】本発明の第５のメモリ使用方法の説明図
【図１２】順位テーブルの遷移を示す図
【図１３】本発明の優先順位テーブルの登録操作を示すフローチャート
【図１４】従来例の移動交換システムの主要装置を示すブロック図
【図１５】従来例の位置登録操作を示すフローチャート
【符号の説明】
１Ａ，  １Ｂ    自動車電話交換局（ＭＳＣ）
２Ａ，  ２Ｂ    ビジターロケーションレジスタ（ＶＬＲ）
３Ａ，  ３Ｂ    ホームロケーションレジスタ（ＨＬＲ）
１１ａ，  １１ｂ    ＭＳＣの呼制御部
１２ａ，  １２ｂ    ＭＳＣメモリ
１４ｂ    ＭＳＣメモリの空塞テーブル
２１ａ，  ２１ｂ    ＶＬＲの呼制御部
２２ａ，  ２２ｂ    ＶＬＲメモリ
２３ｂ    順位テーブル
２４ｂ    ＶＬＲメモリの空塞テーブル
３１ａ，  ３１ｂ    ＨＬＲの呼制御部
３２ａ，  ３２ｂ    ＨＬＲメモリ
【図１】
0003584747.tif 000002
【図２】
0003584747.tif 000003
【図３】
0003584747.tif 000004
【図４】
0003584747.tif 000005
【図５】
0003584747.tif 000006
【図６】
0003584747.tif 000007
【図７】
0003584747.tif 000008
【図８】
0003584747.tif 000009
【図９】
0003584747.tif 000010
【図１０】
0003584747.tif 000011
【図１１】
0003584747.tif 000012
【図１２】
0003584747.tif 000013
【図１３】
0003584747.tif 000014
【図１４】
0003584747.tif 000015
【図１５】
0003584747.tif 000016